(57)【要約】第一編地と第二編地からなる筒状編地の第一編地内の区域Ａ、区域Ｂ、区域Ｃをその境界で折り返し対向する部分の第二編地を合わせて四層に重ねて係止させ、（ａ）第二針ベッド上の針に第一編地の区域Ｂおよび区域Ｃと第二編地を付属させた状態で区域Ａを形成する工程、（ｂ）第一針ベッド上の針に第一編地の区域Ａを、第二針ベッド上の針に第一編地の区域Ｃと第二編地を付属させた状態で第一編地の区域Ｂを形成する工程、（ｃ）第一針ベッド上の針に第一編地の区域Ａ、区域Ｂを、第二針ベッド上の針に第二編地を付属させた状態で第一編地の区域Ｃを形成する工程、（ｄ）第一針ベッド上の針に第一編地の区域Ａ、区域Ｂ、区域Ｃを付属させた状態で第二編地を形成する工程、を含む編成により編地を形成することで同じ針ベッド幅でより大きな筒径の編地を編成する。
2003066947.tif 000002
【特許請求の範囲】
【請求項１】
少なくとも第一、第二の前後一対の針ベッドを有し、その何れか一方または双方の針ベッドが左右摺動可能に構成される横編機を使用し、第一編地と第二編地がその両端で連続する筒状編地を編成する方法であって、第一編地内の編地幅方向の少なくとも一部において編地幅方向に隣接する区域Ａ、区域Ｂ、区域Ｃの三つの区域をその境界で折り返し、編地表面側から区域Ａ、区域Ｂ、区域Ｃが順に三層に重なる第一編地と、該領域に対向する部分の第二編地を四層に重ねて係止させ、以下の工程：
（ａ）  第二針ベッド上の針に第一編地の区域Ｂおよび区域Ｃと第二編地を付属させた状態で区域Ａを形成する工程、
（ｂ）  第一針ベッド上の針に第一編地の区域Ａを、第二針ベッド上の針に第一編地の区域Ｃと第二編地を付属させた状態で第一編地の区域Ｂを形成する工程、
（ｃ）  第一針ベッド上の針に第一編地の区域Ａ、区域Ｂを、第二針ベッド上の針に第二編地を付属させた状態で第一編地の区域Ｃを形成する工程、
（ｄ）  第一針ベッド上の針に第一編地の区域Ａ、区域Ｂ、区域Ｃを付属させた状態で第二編地を形成する工程、
を含む編成により編地を形成することを特徴とする筒状編地の編成方法。
【請求項２】
区域Ｂにおいて編成完了時に表目となるループを裏目として形成し、裏目となるループを表目として形成することを特徴とする請求項１に記載の筒状編地の編成方法。
【請求項３】
区域Ｂを第二針ベッドの針で形成することを特徴とする請求項１に記載の筒状編地の編成方法。
【請求項４】
第一編地内の編地幅方向の少なくとも一部において編地幅方向に隣接する区域Ａ、区域Ｂ、区域Ｃの三つの区域をその境界で折り返し、第一編地の区域Ａ、区域Ｂ、区域Ｃの三つの区域と第二編地を四層に重ねて行う編成と、
第二編地内の編地幅方向の少なくとも一部において編地幅方向に隣接する区域Ｄ、区域Ｅ、区域Ｆの三つの区域をその境界で折り返し、第二編地の区域Ｄ、区域Ｅ、区域Ｆの三つの区域と第一編地を四層に重ねて行う編成を、並行して針ベッド長手方向の異なる領域で行うことを特徴とする請求項１乃至３の何れか一つの項に記載の筒状編地の編成方法。
【請求項５】
区域Ａと区域Ｂの境界部と区域Ｃを連結または／および区域Ｂと区域Ｃの境界部と区域Ａを連結することを特徴とする請求項４に記載の筒状編地の編成方法。
【請求項６】
区域Ａと区域Ｂの境界部と区域Ｃを連結または／および区域Ｂと区域Ｃの境界部と区域Ａの連結を毎コース行うことを特徴とする請求項５に記載の筒状編地の編成方法。
【請求項７】
区域Ａと区域Ｂの境界部と区域Ｃを連結または／および区域Ｂと区域Ｃの境界部と区域Ａの連結を所定コース毎に行うことを特徴とする請求項５に記載の筒状編地の編成方法。
【発明の詳細な説明】
技術分野
本発明は少なくとも前後一対の針ベッドを備えた横編機上で、第一編地と第二編地がその両端で連続する筒状編地の第一編地内において、少なくとも一部の区域で編地を三層に折り返し、第二編地と合わせて四層に重ねて編成する筒状編地の編成方法に関する。
背景技術
上面に多数の編針を備えた針ベッドを前後対向配置し、前後の針ベッドがその長手方向にラッキング可能に構成される横編機を利用し、編地を編成する過程において編地の編み終わり部の解れ止め処理を行うことで、編成完了後の後処理を容易にする編成方法が考案されている。
このような編成方法として、前身頃・後身頃・右袖・左袖といった各パーツをその形状に合わせて成型編を行ったインテグラルガーメントと呼ばれる編地として編成し、編成完了後にこれらパーツ同士を接合してニット衣類を構成する方法が知られている。また、別の編成方法として身頃と袖が接合され、衿刳りが形成されたセーターの様に編成完了後の後処理を不要または殆ど必要としない無縫製編地と呼ばれる編地を編成する方法が考案されている。
無縫製編地を編成するにあたり、横編機上で前身頃と後身頃がその両端で連続する筒状の編地として編成する場合に、編成される編地の筒径は編成に使用する針ベッドの幅に左右される。したがってより大きな筒径の筒状編地を編成するには、編成に使用する横編機の針ベッドの幅をより広いものとしなければならなかった。
本発明は第一編地と第二編地がその両端で連続する筒状編地の第一編地内において、少なくとも一部の区域で編地を三層に折り返し、第二編地と合わせて編地を四層に重ねて編成する筒状編地の編成方法を提供することを目的とする。
発明の開示
上記した課題を解決するため本発明の編成方法は、少なくとも第一、第二の前後一対の針ベッドを有し、その何れか一方または双方の針ベッドが左右摺動可能に構成される横編機を使用し、第一編地と第二編地がその両端で連続する筒状編地を編成する方法であって、第一編地内の編地幅方向の少なくとも一部において編地幅方向に隣接する区域Ａ、区域Ｂ、区域Ｃの三つの区域をその境界で折り返し、編地表面側から区域Ａ、区域Ｂ、区域Ｃが順に三層に重なる第一編地と、該領域に対向する部分の第二編地を四層に重ねて係止させ、以下の工程：
（ａ）  第二針ベッド上の針に第一編地の区域Ｂおよび区域Ｃと第二編地を付属させた状態で区域Ａを形成する工程、
（ｂ）  第一針ベッド上の針に第一編地の区域Ａを、第二針ベッド上の針に第一編地の区域Ｃと第二編地を付属させた状態で第一編地の区域Ｂを形成する工程、
（ｃ）  第一針ベッド上の針に第一編地の区域Ａ、区域Ｂを、第二針ベッド上の針に第二編地を付属させた状態で第一編地の区域Ｃを形成する工程、
（ｄ）  第一針ベッド上の針に第一編地の区域Ａ、区域Ｂ、区域Ｃを付属させた状態で第二編地を形成する工程、を含む編成により編地を形成することを特徴とする。上記発明の構成によれば、第一編地内の区域Ａ、区域Ｂ、区域Ｃと第二編地が四層に重なる状態で区域Ａ、区域Ｂ、区域Ｃおよび第二編地の編目を前後針ベッド間で目移しにより第一針ベッドまたは第二針ベッドの針に付属させた状態で編成を行う。編地を折り返して編成することで、編成に使用する針ベッドの幅よりも筒径の大きな筒状編地を編成できる。
また、区域Ｂにおいて編成完了時に表目となるループを裏目として形成し、裏目となるループを表目として形成することも特徴の一つである。
また、区域Ｂを第二針ベッドの針で形成することも特徴の一つである。
また、第一編地内の編地幅方向の少なくとも一部において編地幅方向に隣接する区域Ａ、区域Ｂ、区域Ｃの三つの区域をその境界で折り返し、第一編地の区域Ａ、区域Ｂ、区域Ｃの三つの区域と第二編地を四層に重ねて行う編成と、
第二編地内の編地幅方向の少なくとも一部において編地幅方向に隣接する区域Ｄ、区域Ｅ、区域Ｆの三つの区域をその境界で折り返し、第二編地の区域Ｄ、区域Ｅ、区域Ｆの三つの区域と第一編地を四層に重ねて行う編成を、並行して針ベッド長手方向の異なる領域で行うことも特徴の一つである。上記発明の構成によれば、第一編地と第二編地の双方の編地内で編地を三層に折り返して編成する。
また、区域Ａと区域Ｂの境界部と区域Ｃを連結または／および区域Ｂと区域Ｃの境界部と区域Ａを連結することも特徴の一つである。上記した発明の構成によれば、三層に折り返して形成した部分が閉じる。
また、区域Ａと区域Ｂの境界部と区域Ｃを連結または／および区域Ｂと区域Ｃの境界部と区域Ａの連結を毎コース行うことも特徴の一つである。上記した発明の構成によれば、三層に折り返した状態で形成された部分がコース方向に連続して閉じられチューブ状となる。
また、区域Ａと区域Ｂの境界部と区域Ｃを連結または／および区域Ｂと区域Ｃの境界部と区域Ａの連結を所定コース毎に行うことも特徴の一つである。上記した発明の構成によれば、ピンチ柄と呼ばれる特殊な編組織が形成される。
発明を実施するための最良の形態
本発明の実施の一例を図面と共に詳細に説明する。以下の説明においては前後一対の下部針ベッド上にそれぞれ上部針ベッドを備えた四枚ベッド横編機を編成に使用する。しかしながら前後一対の針ベッドのみを備えた二枚ベッド横編機においても実施可能である。二枚ベッド横編機で編成を行う場合には、前後針ベッドの奇数番目の針に前編地のループを割り当て、偶数番目の針に後編地のループを割り当て、前編地を編成する際には後編地のループを全て後針ベッド上の針に付属させ、後編地を編成する際には前編地のループを全て前針ベッド上の奇数番目の針に付属させた状態で編成する針抜き編成と呼ばれる編成方法により実施すればよい。前編地を前針ベッドに付属させるとは、前編地以外の編地を形成する際に前編地のループを全て前針ベッドの針に保持することを意味し、後編地を後ベッドに付属させるとは、後編地以外の編地を形成する際に後編地のループを全て後ベッドの針に保持することを意味する。針抜き編成については本願出願人の先の出願である日本特許公告平３−７５６５６号に開示されているため本願ではこれ以上の説明を省略する。
＜第一実施例＞
以下、第一実施例を第１図〜第６図を使用して説明する。第１−ａ図は第一実施例で編成するカーディガン１を示す図である。第１−ｂ図は第１−ａ図の線ｉ−ｉ箇所における断面図であり、カーディガン１は着用時に左右前身頃２、３の開き部に沿って形成されたチューブ状の縁部４、５が前後に重なるように構成される。第２−ａ図は横編機でカーディガン１を編成する工程を模式的に示す図である。第２−ｂ図は第２−ａ図の各段階Ｐ１〜Ｐ４に対応する編地の針床での係止状態を簡略化した図であり、第２−ｃ図は段階Ｐ１における身頃部のループ配置を示す図である。第３図〜第５図は第一実施例を示す編成コース図である。第６図は第２−ａ図で点線Ｘで囲んだ部分の斜視断面図である。カーディガン１は裾ゴム６と縁部４、５以外は平編み組織で編成され、裾ゴム６はリブ編組織で、縁部４、５は袋編組織で形成される。以下Ｐ１〜Ｐ４の各段階で行われる編成を説明する。
段階Ｐ１ではカーディガン１が着用時に互いに前後に重なり合う前身頃の開き部に沿って延びる縁部４、５を左右前身頃２、３の内側に折り返した状態で形成する。縁部４、５が形成される部分では、チューブ状に形成される縁部４、５と前身頃２、３および後身頃７が四層に重なる状態で編成する。前身頃２、３と後身頃７からなる身頃部を裾側から、左右の袖８、９を袖口側から肩に向けて編成する。前身頃部２、３と後身頃７は単一の給糸口を使用して概略”Ｃ”の字を描く様に右前身頃２−後身頃７−左前身頃３に対し開き部を給糸口の反転箇所として編成する。左右の袖８、９はそれぞれの編成に使用される給糸口により前袖部８ａ，９ａと後袖部８ｂ，９ｂを周回状に編成する。
段階Ｐ２では衿ぐり開口部１０を拡げる編成を行いながら脇下まで身頃２、３、７と袖８、９を並行して編成する。段階Ｐ３では袖８、９と身頃２、３、７の接合が完了し、袖８、９と身頃２、３、７が大きな一つの筒を描くようにして段階Ｐ１の身頃と同様の編成により形成する。段階Ｐ４では衿ぐり開口部１０が更に拡げられる。段階Ｐ５は編成完了時の第１図の線ｉ−ｉ箇所の断面図を示し、編成過程で前身頃部２、３の内側に折り返して編成された縁部４、５を展開した状態を示す。縁部４、５を展開することで、右前身頃２の縁部４と左前身頃３の縁部５が重ねた状態で右前身頃２と左前身頃３を合わせた前身頃部の周長と後身頃部７の周長が等しくなる。
以下、第３図〜第５図を使用して説明するが、前身頃部２、３の縁部４、５を折り返した状態で編成する点を除いては公知の編成方法により編成可能である。したがって、以下の説明では身頃部２、３、７における編成のみ説明する。更に、身頃部２、３、７において身頃部の右側と左側で共通の編成を左右対称に行うため、第２−ｂ図および第２−ｃ図において点線Ｙで囲んだ左側部分の編成に限って説明する。なお、以下の説明では説明の便宜上、実際の編成で使用される針数に比べて極少数の針のみを使用する。
編成コース第３図中の左端の数字はコース番号を、左右方向の矢印は編成方向を、上下方向の矢印は目移し方向を示す。ＦＤは下部前針ベッド、ＢＤは下部後針ベッド、ＦＵは上部前針ベッド、ＢＵは上部後針ベッドである。第３のコース０はカーディガン１に縁部５を形成する箇所でのループ配置を示す。コース０で後身頃７が上部後針ベッドの左端から奇数番目の針に係止される。縁部５は表層編地部３ａを含む左前身頃３の内側に折り返した状態で係止される。縁部５は着用時に編地の表側に現れる裏層編地部５ａが上部前針ベッドの偶数番目の針に、内側に隠れる中層編地部５ｂが下部前針ベッドの奇数番目の針に係止される。縁部以外のループは白丸で示され、これらのループは下部前針ベッドの偶数番目の針に係止される。
コース１では左前身頃３と縁部５のループを全て前針ベッド（上部前針ベッドまたは下部前針ベッド）に付属させた状態で下部後針ベッドの奇数番目の針に右向きに給糸して後身頃７を編成する。コース２では左前身頃３の編成に先立って縁部５のループを左前身頃３の編成の邪魔にならないように後針ベッドに付属させるため、裏層編地部５ａを上部後針ベッドの空針へ、中層編地部５ｂのループを下部後針ベッドに目移しする。コース３で表層編地部５ａ、中層編地部５ｂ、後身頃７を後ベッド（上部後針ベッドまたは下部後針ベッド）に付属させた状態で下部前針ベッド上の針に係止される左前身頃３および表層編地部３ａに次コースのループを形成する。コース４では上部後針ベッドの針に係止されている中層編地部５ｂのループを裏層編地部５ａの形成に先だって下部前針ベッド上に目移しを行って中層編地部５ｂを前針ベッドに付属させる。コース５では表層編地部５ａと中層編地部５ｂを前針ベッドに、後身頃７を後ベッドに付属させた状態で裏層編地部５ａを右に向かって編成し、続いてコース６では中層編地部５ｂを編成することで筒状の縁部５を形成する。これにより左前身頃３の表層編地部３ａ、中層編地部５ｂ、裏層編地部５ａ、後身頃７が４層に重なる。続いてＣ編の編成方向を反転し、コース７で中層編地部５ｂを左から右に編成する。コース８では中層編地部５ｂと裏層編地部５ｃの境界部のループを上部後針ベッドに目移しする。コース９では下部後針ベッド上の裏層編地部５ａに次コースのループを形成する。この編成により、中層編地部５ｂと外層編地部５ａの境界部のループが表層編地部５ａと連結され、裏層編地部５ａと中層編地部５ｂがチューブ状となる。コース１０では表層編地部３ａの編成に先立ち、中層編地部５ｂのループを上部後針ベッドに目移しする。コース１１では中層編地部５ｂ、裏層編地部５ｃ、後身頃７を後ベッド上に付属させた状態で右方向に向かって表層編地部３ａおよび左前身頃３を編成する。コース１２では後身頃７の編成に先立って裏層編地部５ａおよび中層編地部５ｂのループをそれぞれ上部前針ベッドと下部前針ベッドに目移しする。コース１３では表層編地部５ａ、中層編地部５ｂ、裏層編地部５ｃを前針ベッドに付属させた状態で後身頃７を左向きに編成する。以降身頃の右側部分で同様の編成を行った後、再度第３図のコース１〜第５図のコース１３の編成へと戻る編成を繰り返すことで第１図のカーディガン１の身頃部が編成される。
上記の編成に従って編成されたカーディガン１は、第６図に示す様に右前身頃２の縁部４、および左前身頃３の縁部５がそれぞれ内側に折り返され、後身頃７と合わせて四層に編成される。編成完了後、縁部４、５を展開することで第１−ｂ図に示すように左右前身頃２、３の縁部４、５が前後に重なる状態となる。上記したように本実施例の編成方法では、編成完了時に編地の幅方向に連続する三つの区域を三層に重ねて編成するので、編幅を拡げたのと同様の効果が得られる。また、縁部４、５を前身頃部２、３の内側に折り返した状態で形成することで、右前身頃２の縁部４と左前身頃３の縁部５を重ねた状態で前身頃部２、３の周長と後身頃部７の周長が等しくなる。
＜第二実施例＞
続いて第７図〜第９図を使用して本発明の第二実施例を説明する。第二実施例では三層に重なる部分を編地編成完了時に編地幅方向に列ぶように展開可能な状態に編成する方法を説明する。第７−ａ図は第二実施例で編成する筒状編地１１の編機上での編成状態を示す図であり、第７−ｂ図は第７−ａ図の筒状編地１１のループ配置を示す図であり、第７−ｃ図は第７−ａ図の編地を編成完了後に展開した状態を示す図である。第８図〜第９図は第二実施例を示す編成コース図である。筒状編地１１は前編地１２と後編地１３が前後に重なりその両端で連続する。前編地１２と後編地１３はそれぞれ表層編地部１２ａ，１３ａと中層編地部１２ｂ，１３ｂと裏層編地部１２ｃ，１３ｃを三層に重ねて編成する部分と、それ以外の単層の部分からなる。以下、図面とともに詳細に説明する。なお、左右および前後対称に編成が行われるため、以下の説明では第７−ｂ図の点線Ｚで囲んだ部分で行われる編成のみを説明する。第二実施例では第一実施例で使用した編機と同じ四枚ベッド横編機を使用する。第８図のコース０はループ配置を示す。三層に重なる前編地１２の表層編地部１２ａのループは下部前針ベッドの左側端から偶数番目に位置する針に、裏層編地部１２ｃのループは上部後針ベッドの左側端から偶数番目に位置する針に、中層編地部１２ｂのループは下部前針ベッドの左側端から奇数番目の針に係止される。コース１では表層編地部１２ａ、中層編地部１２ｂ、裏層編地部１２ｃを前針ベッドに付属させた状態で下部後針ベッドの一本置きの針を使用して後編地１３を編成する。コース２では前編地１２の表層編地部１２ａの編成に先立って、裏層編地部１２ｃを下部後針ベッドの針に、中層編地部１２ｂを上部後針ベッドの針に目移しする。コース３では中層編地部１２ｂ、裏層編地部１２ｃ、後編地１３を後ベッドに付属させた状態で前針ベッド上の一本置きの針を使用して前編地１２の表層編地部１２ａを編成する。コース４では給糸方向を反転し上部後針ベッド上の中層編地部１２ｂを形成する。コース５では中層編地部１２ｂを下部前針ベッドへ、裏層編地部１２ｃを上部前針ベッドへ目移しする。第９図のコース６では表層編地部１２ａ、中層編地部１２ｂを前ベッドに、後編地１３を後ベッドに付属させた状態で裏層編地部１２ｃおよび中央線の左側に位置する前編地１２を編成する。以降図示せぬ筒状編地の右側部分を編成した後、コース７では前編地１２の表層編地部１２ａ、中層編地部１２ｂ、裏層編地部１２ｃを前ベッドに付属させた状態で後編地１３を右方向に編成する。以降コース２〜７の編成を繰り返すことで第７図に示す筒状編地１１が編成される。上記編成により編成された筒状編地１１は折り返した部分を展開することで第７−ｃ図に示す編地となる。本実施例の方法によれば、三層に重なる部分を針ベッドの幅方向に展開して編成する場合に比べ同じ針ベッドの幅でより筒径の大きな編地を編成できる。
＜第三実施例＞
続いて第１０図〜第１１図を使用して第三実施例を説明する。第１０図は第三実施例で編成する筒状編地２１を示す。第１１図は第三実施例を示す編成コース図である。第三実施例で編成する筒状編地２１は前編地２２と後編地２３の表層編地部２２ａ，２３ａ、中層編地部２２ｂ，２３ｂ、裏層編地部２２ｃ，２３ｃを折り返して編成する部分で表層編地部２２ａ，２３ａと中層編地部２２ｂ，２３ｂの境界部と裏層編地部２２ｃ，２３ｃを連結する編成コースが形成されるピンチ柄と呼ばれる編組織を編成する実施例である。以下編成コース図を使用して編成方法を説明する。なお、第三実施例では表層編地部２２ａ，２３ａと裏層編地部２２ｃ，２３ｃが分離している部分は第二実施例と同じ編成により形成し、表層編地部２２ａ，２３ａと中層編地部２２ｂ，２３ｂの境界部と裏層編地部２２ｃ，２３ｃが連絡部２４，２５により綴じ合わされた部分を編成する際に以下の編成を行う。第三実施例においても第二実施例と同様に第７−ｂ図の点線Ｚで囲まれた部分の編成のみを示す。
第１１図のコース１〜６の編成は第二実施例の編成に続いて行う。コース１では表層編地部２２ａの編成に先立って前編地２２の中層編地部２２ｂと裏層編地部２２ｃを後針ベッド上に目移しする。コース２では中層編地部２２ｂ、裏層編地部２２ｃおよび後編地２３を後ベッドに付属させた状態で右から左に向かって前編地２２および三層に重なる部分では表層編地部２２ａに給糸してループを形成する。コース３では中層編地部２２ｂと裏層編地部２２ｃの境界部のループを上部前針ベッドの針へ目移しする。コース４では上部後針ベッドに保持される中層編地部２２ｂを左から右に向かって編成する。コース５では後針ベッド上の針に保持されている中層編地部２２ｂおよび裏層編地部２２ｃのループを下部前針ベッドおよび上部前針ベッドに目移しする。コース６では表層編地部２２ａ、中層編地部２２ｂを前ベッドに、後編地２３を後ベッドに付属させた状態で上部前針ベッド上に保持される裏層編地部２２ｂを右から左に給糸し、図示せぬ筒状編地２１の左側部分が編成される。第二実施例を適宜回数繰り返す毎に第三実施例を行う編成を繰り返すことで第１０図に示す筒状編地２１を編成する。第三実施例により編成された編地では、表層編地部２２ａ，２３ａと中層編地部２２ｂ，２３ｂの境界部と裏層編地部２２ｃ，２３ｃを結ぶ連結部２４，２５により連結され、チューブ２６，２７が形成される。なお、上記第三実施例では表層編地部２２ａ，２３ａと中層編地部２２ｂ，２３ｂの境界部と裏層編地部２２ｃ，２３ｃを目移しにより連結したが、例えば表層編地部２２ａ，２３ａと裏層編地部２２ｃ，２３ｃに連続して給糸する編み込みにより連結することも可能である。
なお、上記した実施例では前編地および後編地においてそれぞれ１カ所のみで編地を三層に重ねたが複数箇所で三層に重ねてもよい。複数箇所で重ねる場合には重なる部分が編幅方向に重ならないように配置すればよい。また、上記第三実施例では筒状編地の内側にチューブを形成したが、筒状編地の外側にチューブを形成することも可能である。また、毎コース表層編地部２２ａと中層編地部２２ｂの境界部と裏層編地部２２ｃを連結すれば中層編地部２２ｂと裏層編地部２２ｃが完全に閉じたチューブが形成される。また、上記実施例では表層編地部、中層編地部、裏層編地部が三層に重なった状態から説明したが、編出し編成を三層に折り返して行ってもよいし、編成過程で三層に重ねることも可能である。また、上記実施例では天竺編組織の編地の場合を説明したが、リンクス編組織の様に表目と裏目が混在する編組織の編地の場合には、例えば前編地の表層編地部で表目として形成される部分は前ベッド上で表目として形成されるのに対し中層編地部で表目となる部分は後ベッド上で裏目として形成される。逆に表層編地部で裏目として形成される部分は後ベッド上で裏目として形成されるのに対し中層編地部で裏目となる部分は前ベッド上で表目として形成される。また、中層編地部における編目の配列は、三層に折り返さずに編成する場合と左右逆転した状態で編成する。また、上記実施例では前編地と後編地の両方で編地を折り返して編成したため前編地と後編地の周長が等しくなったが、前編地または後編地の何れか一方のみを折り返して編成することもできる。このように一方の編地のみを折り返して編成した場合には意識的に前身頃部と後身頃部の周長の異なる編地を編成することができる。また、上記実施例では前編地と後編地において同じ編幅で折り返したが、前編地と後編地において折り返す幅を異ならすことも可能である。
産業上の利用可能性
以上のように、本発明によれば、編地の少なくとも一部を三層に折り返して四層に重ねて編成することで編成に使用する針ベッドの幅を広げることなくより大きな筒径の筒状編地を編成できる。また、例えば筒状の身頃部とその左右で編成される袖を接合してセーターやカーディガンを編成する際に、身頃部内のコース方向において衿ぐり開口部を形成したり、袖との接合を行うなど編幅の変更が柄デザインに大きな影響を及ぼす領域以外の箇所で三層に折り返して編成することで、三層に重なる部分の幅を変更するだけで身頃部の筒径を調整するサイズ変更を容易に行うことができる。
【図面の簡単な説明】
第１−ａ図は第一実施例で編成するカーディガンを示し、第１−ｂ図は第１−ａ図の線ｉ−ｉ箇所における断面図である。第２−ａ図は横編機でカーディガン１の編成工程を模式的に示す図であり、第２−ｂ図は第２−ａ図の各段階Ｐ１〜Ｐ４に対応する編地の係止状態を示す図であり、第２−ｃ図は段階Ｐ１におけるループ配置を示す図である。第３図は第一実施例を示す編成コース図である。第４図は第一実施例を示す編成コース図である。第５図は第一実施例を示す編成コース図である。第６図は第２−ａ図で点線Ｘで囲んだ部分の斜視断面図である。第７−ａ図は第二実施例の筒状編地１１の編成状態を示す図であり、第７−ｂ図は筒状編地１１のループ配置を示す図であり、第７−ｃ図は筒状編地１１を展開した図である。第８図は第二実施例を示す編成コース図である。第９図は第二実施例を示す編成コース図である。第１０図は第三実施例の筒状編地２１を示す図である。第１１図は第三実施例を示す編成コース図である。
【図１】
2003066947.tif 000003
【図２】
2003066947.tif 000004
【図３】
2003066947.tif 000005
【図４】
2003066947.tif 000006
【図５】
2003066947.tif 000007
【図６】
2003066947.tif 000008
【図７】
2003066947.tif 000009
【図８】
2003066947.tif 000010
【図９】
2003066947.tif 000011
【図１０】
2003066947.tif 000012
【図１１】
2003066947.tif 000013
【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
少なくとも第一、第二の前後一対の針ベッドを有し、その何れか一方または双方の針ベッドが左右摺動可能に構成される横編機を使用し、第一編地と第二編地がその両端で連続する筒状編地を編成する方法であり、第一編地は編地幅方向の一部において３つに区分けされた表層編地部（３ａ、１２ａ）、中層編地部（５ｂ、１２ｂ）、裏層編地部（５ａ、１２ｃ）をその境界で編地表面側から表層編地部（３ａ、１２ａ）、中層編地部（５ｂ、１２ｂ）、裏層編地部（５ａ、１２ｃ）となるように三層状に折り返し、該折り返し部分の裏層編地部（５ａ、１２ｃ）／または裏層編地部（５ａ、１２ｃ）と中層編地部（５ｂ、１２ｂ）の両方が、編地幅方向に拡げられることを特徴とするものであって、以下の工程を含む；
（ａ）  第二針ベッド上の針に中層編地部（５ｂ、１２ｂ）および裏層編地部（５ａ、１２ｃ）と第二編地を付属させた状態で表層編地部（３ａ、１２ａ）を形成する工程、
（ｂ）  第一針ベッド上の針に表層編地部（３ａ、１２ａ）を、第二針ベッド上の針に裏層編地部（５ａ、１２ｃ）と第二編地を付属させた状態で第一編地の中層編地部（５ｂ、１２ｂ）を形成する工程、
（ｃ）  第一針ベッド上の針に表層編地部（３ａ、１２ａ）、中層編地部（５ｂ、１２ｂ）を、第二針ベッド上の針に第二編地を付属させた状態で裏層編地部（５ａ、１２ｃ）を形成する工程、
（ｄ）  第一針ベッド上の針に表層編地部（３ａ、１２ａ）、中層編地部（５ｂ、１２ｂ）、裏層編地部（５ａ、１２ｃ）を付属させた状態で第二編地を形成する工程。
【請求項２】
中層編地部（５ｂ、１２ｂ）において編成完了時に表目となるループを裏目として形成し、編成完了時に裏目となるループを表目として形成することを特徴とする請求項１に記載の筒状編地の編成方法。
【請求項３】
中層編地部（５ｂ、１２ｂ）を第二針ベッドの針で形成することを特徴とする請求項１に記載の筒状編地の編成方法。
【請求項４】
第一編地に形成される折り返し部分とは針ベッド長手方向の異なる領域で第二編地においても第一編地と同じような編地表面側から表層編地部（１３ａ）、中層編地部（１３ｂ）、裏層編地部（１３ｃ）となる三層状の折り返し部分を形成することを特徴とする請求項１乃至３の何れか一つの項に記載の筒状編地の編成方法。
【手続補正２】
【補正対象書類名】明細書
【補正対象項目名】０００２
【補正方法】変更
【補正の内容】
【０００２】
発明の開示
上記した課題を解決するため本発明の編成方法は、少なくとも第一、第二の前後一対の針ベッドを有し、その何れか一方または双方の針ベッドが左右摺動可能に構成される横編機を使用し、第一編地と第二編地がその両端で連続する筒状編地を編成する方法であり、第一編地は編地幅方向の一部において３つに区分けされた表層編地部、中層編地部、裏層編地部をその境界で編地表面側から表層編地部、中層編地部、裏層編地部となるように三層状に折り返し、該折り返し部分の裏層編地部／または裏層編地部と中層編地部の両方が、編地編成後に編地幅方向に拡げることが可能なことを特徴とするものであって、以下の工程を含む；
（ａ）  第二針ベッド上の針に中層編地部および裏層編地部と第二編地を付属させた状態で表層編地部を形成する工程、
（ｂ）  第一針ベッド上の針に表層編地部を、第二針ベッド上の針に裏層編地部と第二編地を付属させた状態で第一編地の中層編地部を形成する工程、
（ｃ）  第一針ベッド上の針に表層編地部、中層編地部を、第二針ベッド上の針に第二編地を付属させた状態で裏層編地部を形成する工程、
（ｄ）  第一針ベッド上の針に表層編地部、中層編地部、裏層編地部を付属させた状態で第二編地を形成する工程。
上記発明の構成によれば、第一編地内の表層編地部、中層編地部、裏層編地部と第二編地が四層に重なる状態で表層編地部、中層編地部、裏層編地部および第二編地の編目を前後針ベッド間で目移しにより第一針ベッドまたは第二針ベッドの針に付属させた状態で編成を行う。編地を折り返して編成することで、編成に使用する針ベッドの幅よりも筒径の大きな筒状編地を編成できる。
また、中層編地部において編成完了時に表目となるループを裏目として形成し、編成完了時に裏目となるループを表目として形成することを特徴とすることも特徴の一つである。
また、中層編地部を第二針ベッドの針で形成することも特徴の一つである。


【手続補正３】
【補正対象書類名】明細書
【補正対象項目名】０００３
【補正方法】変更
【補正の内容】
【０００３】
また、第一編地に形成される折り返し部分とは針ベッド長手方向の異なる領域で第二編地においても第一編地と同じような編地表面側から表層編地部、中層編地部、裏層編地部となる三層状の折り返し部分を形成することも特徴の一つである。
上記発明の構成によれば、第一編地と第二編地の双方の編地内で編地を三層に折り返して編成する。
図面の簡単な説明
第１−ａ図は第一実施例で編成するカーディガンを示し、第１−ｂ図は第１−ａ図の線ｉ−ｉ箇所における断面図である。第２−ａ図は横編機でカーディガン１の編成工程を模式的に示す図であり、第２−ｂ図は第２−ａ図の各段階Ｐ１〜Ｐ４に対応する編地の係止状態を示す図であり、第２−ｃ図は段階Ｐ１におけるループ配置を示す図である。第３図は第一実施例を示す編成コース図である。第４図は第一実施例を示す編成コース図である。第５図は第一実施例


【手続補正４】
【補正対象書類名】明細書
【補正対象項目名】０００６
【補正方法】変更
【補正の内容】
【０００６】
以下、第３図〜第５図を使用して説明するが、前身頃部２、３の縁部４、５を折り返した状態で編成する点を除いては公知の編成方法により編成可能である。したがって、以下の説明では身頃部２、３、７における編成のみ説明する。更に、身頃部２、３、７において身頃部の右側と左側で共通の編成を左右対称に行うため、第２−ｂ図および第２−ｃ図において点線Ｙで囲んだ左側部分の編成に限って説明する。なお、以下の説明では説明の便宜上、実際の編成で使用される針数に比べて極少数の針のみを使用する。
編成コース第３図中の左端の数字はコース番号を、左右方向の矢印は編成方向を、上下方向の矢印は目移し方向を示す。ＦＤは下部前針ベッド、ＢＤは下部後針ベッド、ＦＵは上部前針ベッド、ＢＵは上部後針ベッドである。第３図のコース０はカーディガン１に縁部５を形成する箇所でのループ配置を示す。コース０で後身頃７が上部後針ベッドの左端から奇数番目の針に係止される。縁部５は表層編地部３ａを含む左前身頃３の内側に折り返した状態で係止される。縁部５は着用時に編地の表側に現れる裏層編地部５ａが上部前針ベッドの偶数番目の針に、内側に隠れる中層編地部５ｂが下部前針ベッドの奇数番目の針に係止される。縁部以外のループは白丸で示され、これらのループは下部前針ベッドの偶数番目の針に係止される。
コース１では左前身頃３と縁部５のループを全て前針ベッド（上部前針ベッドまたは下部前針ベッド）に付属させた状態で下部後針ベッドの奇数番目の針に右向きに給糸して後身頃７を編成する。コース２では左前身頃３の編成に先立って縁部５のループを左前身頃３の編成の邪魔にならないように後針ベッドに付属させるため、裏層編地部５ａを上部後針ベッドの空針へ、中層編地部５ｂのループを下部後針ベッドに目移しする。コース３で裏層編地部５ａ、中層編地部５ｂ、後身頃７を後ベッド（上部後針ベッドまたは下部後針ベッド）に付属させた状態で下部前針ベッド上の針に係止される左前身頃３および表層編地部３ａに次コースのループを形成する。コース４では上部後針ベッドの針に係止されている中層編地部５ｂのループを裏層編地部５ａの形成に先だって下部前針ベッド上に目移


【手続補正５】
【補正対象書類名】明細書
【補正対象項目名】０００７
【補正方法】変更
【補正の内容】
【０００７】
しを行って中層編地部５ｂを前針ベッドに付属させる。コース５では表層編地部３ａと中層編地部５ｂを前針ベッドに、後身頃７を後ベッドに付属させた状態で裏層編地部５ａを右に向かって編成し、続いてコース６では中層編地部５ｂを編成することで筒状の縁部５を形成する。これにより左前身頃３の表層編地部３ａ、中層編地部５ｂ、裏層編地部５ａ、後身頃７が４層に重なる。続いてＣ編の編成方向を反転し、コース７で中層編地部５ｂを左から右に編成する。コース８では中層編地部５ｂと裏層編地部５ｃの境界部のループを上部後針ベッドに目移しする。コース９では下部後針ベッド上の裏層編地部５ａに次コースのループを形成する。この編成により、中層編地部５ｂと外層編地部５ａの境界部のループが表層編地部５ａと連結され、裏層編地部５ａと中層編地部５ｂがチューブ状となる。コース１０では表層編地部３ａの編成に先立ち、中層編地部５ｂのループを上部後針ベッドに目移しする。コース１１では中層編地部５ｂ、裏層編地部５ｃ、後身頃７を後ベッド上に付属させた状態で右方向に向かって表層編地部３ａおよび左前身頃３を編成する。コース１２では後身頃７の編成に先立って裏層編地部５ａおよび中層編地部５ｂのループをそれぞれ上部前針ベッドと下部前針ベッドに目移しする。コース１３では表層編地部５ａ、中層編地部５ｂ、裏層編地部５ｃを前針ベッドに付属させた状態で後身頃７を左向きに編成する。以降身頃の右側部分で同様の編成を行った後、再度第３図のコース１〜第５図のコース１３の編成へと戻る編成を繰り返すことで第１図のカーディガン１の身頃部が編成される。
上記の編成に従って編成されたカーディガン１は、第６図に示す様に右前身頃２の縁部４、および左前身頃３の縁部５がそれぞれ内側に折り返され、後身頃７と合わせて四層に編成される。編成完了後、縁部４、５を展開することで第１−ｂ図に示すように左右前身頃２、３の縁部４、５が前後に重なる状態となる。上記したように本実施例の編成方法では、編成完了時に編地の幅方向に連続する三つの区域を三層に重ねて編成するので、編幅を拡げたのと同様の効果が得られる。また、縁部４、５を前身頃部２、３の内側に折り返した状態で形成することで、右前身頃２の縁部４と左前身頃３の縁




【国際調査報告】
2003066947.tif 000014
2003066947.tif 000015
2003066947.tif 000016
2003066947.tif 000017